(57)【要約】【課題】  特別な容量試験装置を現地に設置することなく、遠隔地にある蓄電池の残容量を容易に把握することが可能な蓄電池残容量表示システムを提供する。【解決手段】  商用電源１５による直流負荷１７へ流れる直流負荷電流値を入力する直流負荷電流入力部２と、制御用蓄電池１８の種類毎の特性データを記憶する蓄電池データ記憶手段３と、直流負荷電流入力部２から入力された直流負荷電流値と蓄電池データ記憶手段３からの特性データとに基づき制御用蓄電池１８の残容量を算出する蓄電池残容量算出手段６と、蓄電池残容量算出手段６によって算出された制御用蓄電池１８の残容量を表示する表示手段７とを備え、蓄電池残容量算出手段６は、シミュレーション条件と制御用蓄電池１８の運用施設の内部データとに基づきシミュレーション条件に対する制御用蓄電池１８の残容量を表示手段７に表示する機能を有する。【選択図】  図１
2011153909.tif 000002
【特許請求の範囲】
【請求項１】
直流負荷への商用電源による直流電力の供給が停止した際に、前記直流負荷へ直流電力を供給する蓄電池の残容量を表示する蓄電池残容量表示システムであって、
前記商用電源による前記直流負荷へ流れる直流負荷電流値を入力する直流負荷電流入力部と、
前記蓄電池の種類毎の特性データを記憶する蓄電池データ記憶手段と、
前記直流負荷電流入力部から入力された前記直流負荷電流値と前記蓄電池データ記憶手段からの特性データとに基づき前記蓄電池の残容量を算出する蓄電池残容量算出手段と、
前記蓄電池残容量算出手段によって算出された前記蓄電池の残容量を表示する表示手段と、
を備え、
前記蓄電池残容量算出手段は、シミュレーション条件と前記蓄電池の運用施設の内部データとに基づき前記シミュレーション条件に対する前記蓄電池の残容量を前記表示手段に表示する機能を有することを特徴とする蓄電池残容量表示システム。
【請求項２】
前記蓄電池残容量算出手段は、算出された前記蓄電池の残容量および前記蓄電池による前記直流負荷への電力供給が可能な時間を帯グラフで前記表示手段に表示させる機能を有することを特徴とする請求項１に記載の蓄電池残容量表示システム。
【発明の詳細な説明】
【技術分野】
【０００１】
この発明は、特別な容量試験装置を用いることなく、蓄電池の残容量を容易に把握することが可能な蓄電池残容量表示システムに関するものである。
【背景技術】
【０００２】
電力会社の発変電所には、停電に備えて制御用蓄電池が設置されている。この制御用蓄電池は、常時浮動充電されており、停電時に直流負荷に対して直流電力を供給するようになっている。制御用蓄電池は、停電時に確実に動作することが求められており、電力供給の信頼性を高めるためには残容量を把握する必要がある。蓄電池の容量を把握する方法の一例として、実際に蓄電池を放電させ、その時の放電電流と放電終止電圧に到達するまでの時間とから容量を算出することが行われているが、この場合は特別な容量試験器を現地に運搬する必要がある。
【０００３】
そこで、通信用の蓄電池の残容量を遠隔で監視する遠隔監視システムが知られている（例えば、特許文献１参照。）。この遠隔監視システムでは、商用電源が切断状態になった際には、保守担当者に自動的に通知し、蓄電池の容量が枯渇する前に対策することを可能にしている。
【先行技術文献】
【特許文献】
【０００４】
【特許文献１】特開２００６−３５３０２３号公報
【発明の概要】
【発明が解決しようとする課題】
【０００５】
しかし、電力会社の発変電所は常時運用されており、制御用蓄電池の容量を把握するために、実際に制御用蓄電池を放電させることは、大きなリスクを伴うことになり、実施することが極めて難しい。すなわち、実際に制御用蓄電池を放電させる場合は、故意に商用電源による電力供給を停止させ停電状態を作る必要があり、不測の事態を招くおそれがある。また、制御用蓄電池を一時的に商用電源から切り離し、上述のように特別の容量試験器によって制御用蓄電池の容量試験を行うことも考えられるが、この場合は試験中の万一の停電に備えて予備の大型蓄電池を接続する必要があり、容量試験に要するコストが膨大なものとなる。
【０００６】
特許文献１では、蓄電池の残容量を算出するための具体例が開示されていないが、この場合も現地に容量確認のための装置を設置することが必要となる。したがって、現地へ容量試験装置を設置することなく、簡易な方法で蓄電池の残容量を把握することが可能なシステムの開発が望まれる。
【０００７】
そこでこの発明は、特別な容量試験装置を現地に設置することなく、遠隔地にある蓄電池の残容量を容易に把握することが可能な蓄電池残容量表示システムを提供することを目的とする。
【課題を解決するための手段】
【０００８】
上記目的を達成するために請求項１に記載の発明は、直流負荷への商用電源による直流電力の供給が停止した際に、前記直流負荷へ直流電力を供給する蓄電池の残容量を表示する蓄電池残容量表示システムであって、前記商用電源による前記直流負荷へ流れる直流負荷電流値を入力する直流負荷電流入力部と、前記蓄電池の種類毎の特性データを記憶する蓄電池データ記憶手段と、前記直流負荷電流入力部から入力された前記直流負荷電流値と前記蓄電池データ記憶手段からの特性データとに基づき前記蓄電池の残容量を算出する蓄電池残容量算出手段と、前記蓄電池残容量算出手段によって算出された前記蓄電池の残容量を表示する表示手段と、を備え、前記蓄電池残容量算出手段は、シミュレーション条件と前記蓄電池の運用施設の内部データとに基づき前記シミュレーション条件に対する前記蓄電池の残容量を前記表示手段に表示する機能を有することを特徴とする蓄電池残容量表示システムである。
【０００９】
この発明によれば、直流負荷へ流れる直流負荷電流値と蓄電池の特性データとに基づき蓄電池の残容量が算出され、この算出された残容量が表示手段に表示される。
【００１０】
請求項２に記載の発明は、請求項１に記載の蓄電池残容量表示システムにおいて、前記蓄電池残容量算出手段は、算出された前記蓄電池の残容量および前記蓄電池による前記直流負荷への電力供給が可能な時間を帯グラフで前記表示手段に表示させる機能を有することを特徴としている。
【発明の効果】
【００１１】
請求項１に記載の発明によれば、直流負荷電流値と蓄電池の特性データとに基づき蓄電池の残容量を算出することができるので、遠隔地の蓄電池の残容量を容易に把握することが可能となり、蓄電池を常に最良の状態に維持することができる。これにより、停電が生じた場合でも蓄電池から直流負荷への電力供給を確実に行うことが可能となり、電力供給の信頼性を高めることができる。
【００１２】
また、特別な容量試験装置を現地に設置することや持参する必要がないので、遠隔地の蓄電池の残容量を把握するためのコストを大幅に低減することができる。
【００１３】
請求項２に記載の発明によれば、蓄電池の残容量および蓄電池による直流負荷への電力供給可能な時間を帯グラフで表示手段に表示させるようにしているので、一目で蓄電池の状況を把握することができ、迅速な対応が可能となる。
【図面の簡単な説明】
【００１４】
【図１】本発明の実施の形態に係わる蓄電池残容量表示システムの概要を示すブロック図である。
【図２】図１の蓄電池残容量表示システムが適用される制御用蓄電池の接続関係を示すブロック図である。
【図３】図１の蓄電池残容量表示システムにおける蓄電池の残容量算出手順を示すフローチャートである。
【図４】図３のフローチャートに続くフローチャートである。
【図５】図１の蓄電池残容量表示システムにおける放電開始３時間後の蓄電池の残容量を示す表示図である。
【図６】図１の蓄電池残容量表示システムにおける放電開始３時間後に遮断器の操作を行った場合の蓄電池の残容量を示す表示図である。
【図７】図１の蓄電池残容量表示システムにおける放電開始３時間後に直流負荷を制限した場合の蓄電池の残容量を示す表示図である。
【図８】図１の蓄電池残容量表示システムにおける停電作業のシミュレーションをした場合の蓄電池の残容量を示す表示図である。
【発明を実施するための形態】
【００１５】
つぎに、この発明の実施の形態について図面を用いて詳しく説明する。
【００１６】
図１ないし図８は、この発明の実施の形態を示しており、とくに発変電所で使用される制御用蓄電池１８を対象としている。図２に示すように、発変電所においては、直流電力で動作する電気機器類である複数の直流負荷１７が設置されており、直流負荷１７に対して並列に制御用蓄電池１８が接続されている。これらの直流負荷１７および制御用蓄電池１８には、商用電源としての交流電力を直流電力に変換する整流器１６が接続されている。整流器１６は、直流負荷１７に直流電力を供給する機能と、制御用蓄電池１８を直流電力によって充電する機能とを有している。制御用蓄電池１８は、整流器１６によって常時浮動充電されており、商用電源１５による電力の供給が停止した際に、瞬時に直流負荷１７へ直流電力を供給するようになっている。
【００１７】
図１は、制御用蓄電池１８の残容量を表示するための蓄電池残容量表示システム１を示している。図１に示すように、蓄電池残容量表示システム１は、主として直流負荷電流入力部２と、蓄電池データ記憶手段３と、シミュレーション条件入力部４と、内部データ記憶手段５と、蓄電池残容量算出手段６と、表示手段７とを有している。
【００１８】
直流負荷電流入力部２は、例えばコンピュータのキーボードから構成されており、商用電源１５による直流負荷１７へ流れる直流負荷電流値を入力する機能を有している。蓄電池データ記憶手段３は、制御用蓄電池１８の種類毎の特性データ、例えば定格容量、経年、内部抵抗、セル開放電圧、放電特性、充電特性などを記憶する機能を有している。すなわち、発変電所において使用される制御用蓄電池１８には複数の種類があり、その種類毎の特性データが蓄電池の型式別に蓄電池データ記憶手段３に記憶されている。シミュレーション条件入力部４は、直流負荷電流入力部２と同様にコンピュータのキーボードから構成されており、該当する発変電所の停電予定時間、遮断器、断路器の動作予定回数などのシミュレーション条件を入力する機能を有している。この実施の形態においては、直流負荷電流入力部２とシミュレーション条件入力部４を別々に構成しているが、一つの入力部で直流負荷電流入力部２とシミュレーション条件入力部４を共用する構成としてもよい。
【００１９】
内部データ記憶手段５には、制御用蓄電池１８の運用施設の内部データ、例えば発変電所に設置されているＯＣＢ（油遮断器）やＧＣＢ（ガス遮断器）などの直流負荷の動作に対応する制御用蓄電池１８の容量減少率（消耗率）などが記憶されている。すなわち、内部データ記憶手段５には、発変電所における給電番号に対応した機器の種類と、この機器類に対応する制御用蓄電池１８の容量減少率の実測データなどが内部データとして蓄積されている。
【００２０】
蓄電池残容量算出手段６は、例えばコンピュータの中央処理装置から構成されており、直流負荷電流入力部２から入力された直流負荷電流値と蓄電池データ記憶手段３からの特性データとに基づき制御用蓄電池１８の残容量を算出し、表示手段７に表示する機能を有している。ここで、蓄電池容量（Ａｈ）は、満充電状態から放電終止電圧に至るまでの放電時間（ｈ）と放電電流（Ａ）を掛けたもので表される。したがって、制御用蓄電池１８の残容量は、蓄電池容量（Ａｈ）−{直流負荷電流値（Ａ）×停電時間（ｈ）}で求められる。制御用蓄電池１８は、経年により劣化することから、蓄電池データ記憶手段３からの特性データを考慮して保守率（乗率）を設け、制御用蓄電池１８の容量を推定するようにしている。すなわち、蓄電池容量（Ａｈ）は、定格容量（Ａｈ）に蓄電池データ記憶手段３からの特性データを考慮した保守率（乗率）を掛けることにより求められる制御用蓄電池１８の推定容量を意味している。
【００２１】
表示手段７は、電力会社の送電系統を制御する制御所に配置されており、蓄電池残容量算出手段６と表示手段７は、情報通信回線８を介して接続されている。蓄電池残容量算出手段６は、シミュレーション条件入力部４からのシミュレーション条件と制御用蓄電池１８の運用施設の内部データとに基づきシミュレーション条件に対する制御用蓄電池１８の残容量を表示手段７に表示する機能を有している。情報通信回線８は、蓄電池残容量算出手段６によって算出された情報を表示手段７に送信するための通信線（有線または無線のいずれもを含む）であり、蓄電池残容量算出手段６に対して表示手段７が近距離に配置される構成でもよいし、蓄電池残容量算出手段６に対して表示手段７が遠隔地に配置される構成であってもよい。
【００２２】
蓄電池残容量算出手段６は、算出された制御用蓄電池１８の残容量および制御用蓄電池１８による直流負荷１７への電力供給が可能な時間を帯グラフで表示手段７に表示させる機能を有している。表示手段７は、この実施の形態においては、ＣＲＴ（ブラウン管）による表示を採用しているが、液晶パネルやその他の表示方法による表示であってもよい。
【００２３】
つぎに、蓄電池残容量表示システム１における制御の処理手順および作用について説明する。
【００２４】
図３および図４は、制御用蓄電池１８の残容量を算出するための処理手順を示している。図３に示すように、ステップＳ２１において処理が開始され、ステップＳ２２において、各発変電所における直流負荷電流値が直流負荷電流入力部２から入力される。ここで、直流負荷電流は、商用電源１５により直流負荷１７に常時流れている電流であり、ほぼその値が一定となっている。つぎに、ステップＳ２３に進み、制御用蓄電池１８の特性データ、例えば定格容量、経年、内部抵抗、セル開放電圧、放電特性、充電特性などデータの取り込みが行われ、このデータが蓄電池データ記憶手段３に格納される。すなわち、ステップＳ２２において、直流負荷電流値が直流負荷電流入力部２から入力されると、ステップＳ２６において、各発変電所における制御用蓄電池１８の特性データが電力会社の設備保全管理システム１１から蓄電池データ記憶手段３に取り込まれる。ここで、設備保全管理システム１１とは、巡視・点検データ管理、事故障害情報管理などを行う総合的なシステムを意味する。
【００２５】
ステップＳ２３において、制御用蓄電池１８の特性データの取り込みが終了すると、ステップＳ２４に進み、制御用蓄電池１８の残容量および制御用蓄電池１８の使用可能時間の算出が行われる。つまり、蓄電池残容量算出手段６は、直流負荷電流入力部２から入力された直流負荷電流値と蓄電池データ記憶手段３からの特性データとに基づき制御用蓄電池１８の残容量を算出する。そして、蓄電池残容量算出手段６は、算出した残容量に基づき制御用蓄電池１８が直流負荷１７に対して直流電力を供給することが可能な時間を算出する。ステップＳ２５では、蓄電池残容量算出手段６によって算出された制御用蓄電池１８の残容量および直流負荷１７に対して電力供給可能な時間が表示手段７に表示される。ここで、各発変電所において商用電源１５に起因する停電が生じていない場合は、各発変電所に設置されている制御用蓄電池１８の残容量は１００％と表示される。
【００２６】
つぎに、ステップＳ２７に進み、シミュレーションを行うか否かが判断され、シミュレーションを行わない場合は図４のステップＳ３４に進み、外部情報監視が行われる。すなわち、ステップＳ３４においては、ステップＳ３５に示すように、該当する発変電所において商用電源１５の供給が遮断されたか、または整流器１６の故障が発生して制御用蓄電池１８が放電を開始したかなどの情報が制御所システム１２から取り込まれる。ステップＳ３４において、情報の取り込みが終了すると、ステップＳ３６に進み、制御用蓄電池１８の放電が開始されたか否かが判断される。ここで、制御用蓄電池１８の放電が開始されたと判断された場合は、ステップＳ３７に進み、時間の経過とともに該当する発変電所の制御用蓄電池１８の残容量および、制御用蓄電池１８による直流負荷１７への電力供給可能な時間が蓄電池残容量算出手段６によって算出され、この算出結果がリアルタイムで表示手段７に表示される。
【００２７】
図５は、特定の変電所（Ｃ変電所）の制御用蓄電池１８が放電を開始して３時間経過した場合に、表示手段７によって表示される制御用蓄電池１８の残容量を示している。図５に示すように、制御用蓄電池１８の残容量と直流負荷１７に電力供給可能な時間は、帯グラフによって表示される。ここで、Ｃ変電所を除くその他の発変電所においては、制御用蓄電池１８の残容量は１００％となっているが、Ｃ変電所の制御用蓄電池１８が残容量７５％であり、制御用蓄電池１８による直流負荷１７に電力供給可能な時間は９時間と表示される。
【００２８】
つぎに、ステップＳ３８に進み、外部情報監視が行われる。すなわち、ステップＳ３８においては、ステップＳ３９に示すように、発変電所における停電の復旧情報や遮断器または断路器の動作情報などが制御所システム１２から取り込まれる。ステップＳ３８における情報の取り込みが終了すると、ステップＳ４０に進み、放電中の制御用蓄電池１８が存在する発変電所において状況に変化があるか否かが判断される。すなわち、ステップＳ４０においては、放電中の制御用蓄電池１８が存在する発変電所において、停電が復旧したか、または遮断器、断路器が動作しているかを判断する。さらに、ステップＳ４０においては、現地作業者の情報から直流負荷１７を制限したかを判断する。ここで、停電が復旧しているか否かはステップＳ４１で判断し、遮断器、断路器が動作しているかはステップＳ４２で判断する。そして、ステップＳ４３では、直流負荷１７を制限したかを現地作業者の情報から判断する。
【００２９】
ステップＳ４１において、停電が復旧されたと判断された場合、すなわち発変電所において商用電源１５の供給が再開したと判断された場合や、整流器１６の故障が解消されたと判断された場合は、ステップＳ４４に進む。ステップＳ４４では、制御用蓄電池１８の充電特性曲線から制御用蓄電池１８の充電状況を把握し、制御用蓄電池１８の残容量および制御用蓄電池１８から直流負荷１７に電力を供給可能な時間が蓄電池残容量算出手段６によって算出され、この算出結果が表示手段７によってリアルタイムに表示される。つぎに、ステップＳ４５に進み、制御用蓄電池１８の容量が１００％になったか否かが判断される。ここで、制御用蓄電池１８の容量が１００％になっていないと判断された場合は、ステップＳ３４に戻り、上記と同様の処理が繰り返される。ステップＳ４５において、制御用蓄電池１８の容量が１００％になっていると判断された場合は、ステップＳ５２に進み、一連の処理が完了する。
【００３０】
ステップＳ４２において、遮断器、断路器が動作していると判断された場合は、ステップＳ４６に進み、内部データ記憶手段５のデータベースに基づき、制御用蓄電池１８の容量の減少率（消耗率）を参照する。すなわち、ここではＯＣＢやＧＣＢ等の機器の種類による制御用蓄電池１８の容量の減少率（消耗率）を参照する。つぎに、ステップＳ４７に進み、遮断器、断路器の動作による制御用蓄電池１８の容量の減少を考慮し、該当する発変電所の制御用蓄電池１８の残容量と、制御用蓄電池１８から直流負荷１７へ電力供給が可能な時間が蓄電池残容量算出手段６によって再度算出される。そして、ステップＳ４８に進み、現在の制御用蓄電池１８の残容量および制御用蓄電池１８による電力供給が可能な時間が表示手段７によってリアルタイムに表示される。
【００３１】
図６は、ステップＳ４８に対応する表示手段７による表示図であり、特定の変電所（Ｃ変電所）の制御用蓄電池１８が放電を開始して３時間経過した後に、遮断器の入、切操作を２回ずつ行った場合の制御用蓄電池１８の残容量を示している。図６に示すように、Ｃ変電所を除くその他の発変電所においては、制御用蓄電池１８の残容量は１００％となっているが、Ｃ変電所の制御用蓄電池１８は残容量が５０％であり、直流負荷１７に電力供給可能な時間は６時間となっている。
【００３２】
ステップＳ４３において、現地作業者の情報から直流負荷１７を制限していると判断した場合は、ステップＳ４９に進み、該当する発変電所の直流負荷１７の制限後の直流負荷電流値が直流負荷電流入力部２から入力される。つぎに、ステップＳ５０に進み、該当する発変電所における制御用蓄電池１８の残容量に基づき制御用蓄電池１８による直流負荷１７への電力供給が可能な時間が蓄電池残容量算出手段６によって再度算出される。そして、ステップＳ５１に進み、現在の制御用蓄電池１８の残容量および制御用蓄電池１８による直流負荷１７への電力供給が可能な時間が表示手段７によってリアルタイムに表示される。
【００３３】
図７は、ステップＳ５１に対応する表示手段７による表示図であり、特定の変電所（Ｃ変電所）の制御用蓄電池１８が放電を開始して３時間経過した後に、直流負荷１７を制限した場合の制御用蓄電池１８の残容量を示している。図７に示すように、Ｃ変電所を除くその他の発変電所においては、制御用蓄電池１８の残容量は１００％となっているが、Ｃ変電所の制御用蓄電池１８が残容量７５％であり、直流負荷１７に電力供給可能な時間は１８時間となっている。また、図７では、直流負荷１７の制限により制御用蓄電池１８から出力される直流電力が制限されることから、Ｃ変電所の制御用蓄電池１８に関する使用可能な時間スケールが図５、６に対して変更されている。
【００３４】
図３のステップＳ２８〜Ｓ３３は、シミュレーションを行う場合の処理手順を示している。ステップＳ２７において、シミュレーションを行うと判断した場合は、ステップＳ２８に進み、該当する発変電所における作業のための停電予定時間、該当する遮断器、断路器の動作予定回数がシミュレーション条件入力部４から入力される。つぎに、ステップＳ２９に進み、内部データ記憶手段５のデータベースに基づき、ＯＣＢやＧＣＢ等の機器の種類による制御用蓄電池１８の容量の減少率（消耗率）を参照する。つぎに、ステップＳ３０に進み、停電時間と、遮断器、断路器の動作による制御用蓄電池１８の容量の減少を考慮し、該当する発電所の制御用蓄電池１８の残容量と、制御用蓄電池１８から直流負荷１７へ電力供給が可能な時間を蓄電池残容量算出手段６によって算出する。
【００３５】
ステップＳ３１では、制御用蓄電池１８の残容量が０％を超えているか否かを判断し、残容量が０％を超えていない場合は、ステップＳ３３に進み、放電が不可である旨を表示手段７に表示する。ステップＳ３１において、制御用蓄電池１８の残容量が０％を超えていると判断した場合は、ステップＳ３２に進み、シミュレーションの結果を表示手段７によって表示する。
【００３６】
図８は、ステップＳ３２に対応する表示手段７による表示図であり、特定の変電所（Ｃ変電所）における停電作業をシミュレーションした場合の制御用蓄電池１８の残容量を示している。図８に示すように、Ｃ変電所を除くその他の発変電所においては、制御用蓄電池１８の残容量は１００％となっているが、Ｃ変電所の制御用蓄電池１８が残容量２５％であり、直流負荷１７に電力供給可能な時間は３時間となっている。
【００３７】
このように、蓄電池残容量表示システム１においては、直流負荷１７へ流れる直流負荷電流値と制御用蓄電池１８の特性データとに基づき制御用蓄電池１８の残容量を算出することができるので、遠隔地にある制御用蓄電池１８の残容量を容易に把握することが可能となり、制御用蓄電池１８を常に最良の状態に維持することができる。これにより、停電が生じた場合でも制御用蓄電池１８から直流負荷１７への電力供給を確実に行うことが可能となり、電力供給の信頼性を高めることができる。また、特別な容量試験装置を現地に設置することや持参する必要がないので、遠隔地にある制御用蓄電池１８の残容量を把握するためのコストを大幅に低減することができる。
【００３８】
制御用蓄電池１８の残容量および使用可能時間は、表示手段７によって帯グラフで表示するようにしているので、一目で制御用蓄電池１８の状況を把握することができ、発変電所において商用電源１５の供給断による停電が生じた場合でも迅速な対応が可能となる。また、この蓄電池残容量表示システム１は、商用電源１５の供給断による停電のみならず、整流器１６の故障により直流負荷１７に電力が供給されなくなった場合でも、制御用蓄電池１８の残容量を把握することができる。
【００３９】
さらに、蓄電池残容量表示システム１は、シミュレーション機能を有するので、制御用蓄電池１８の放電開始後の残容量を精度よく把握することができ、発変電所における停電作業計画などに活用することができる。
【００４０】
以上、この発明の実施の形態を詳述してきたが、具体的な構成は上記の実施の形態に限られるものではなく、この発明の要旨を逸脱しない範囲の設計の変更などがあっても、この発明に含まれる。例えば、蓄電池残容量表示システム１は、発変電所に設置される制御用蓄電池１８を対象としているが、対象とする蓄電池は発変電所以外に設置されるものであってもよいし、また蓄電池の種類を問わない。
【符号の説明】
【００４１】
１              蓄電池残容量表示システム
２              直流負荷電流入力部
３              蓄電池データ記憶手段
４              シミュレーション条件入力部
５              内部データ記憶手段
６              蓄電池残容量算出手段
７              表示手段
８              情報通信回線
１５            商用電源
１６            整流器
１７            直流負荷
１８            制御用蓄電池（蓄電池）
【図１】
2011153909.tif 000003
【図２】
2011153909.tif 000004
【図３】
2011153909.tif 000005
【図４】
2011153909.tif 000006
【図５】
2011153909.tif 000007
【図６】
2011153909.tif 000008
【図７】
2011153909.tif 000009
【図８】
2011153909.tif 000010